(57)【要約】１つまたは複数のバックライトのそれぞれが複数のキーの中の個々のキーと関連付けられているプログラミングされた通信装置の状態を通知する方法が開示されている。この方法は、通信装置のユーザーに対して伝達すべき状態情報を生成し、この状態情報に対応するパターンに従って、１つまたは複数のバックライトを点灯させる。この結果として、視覚的なグラフィック・ディスプレイが不要となり、コストが節減され、容積が節約されると共に、信頼性が向上する。
2006520125.tif 000002
【特許請求の範囲】
【請求項１】
プログラミングされた通信装置の状態を表示する方法であって、
１つまたは複数のバックライトのそれぞれを複数のキーの中の個々のキーと関連付けるステップと、
前記通信装置のユーザーに対して伝達すべき状態情報を生成するステップと、
前記状態情報に対応するパターンに従って、１つまたは複数のバックライトを点灯させるステップとを有することを特徴とする、通信装置の状態を表示する方法。
【請求項２】
到来した通話の信号強度が、予め定められた信号強度のレベルを下回っているか上回っているかを判定し、判定された結果を示す状態情報を前記通信装置のマイクロプロセッサに対して生成するステップをさらに有しており、
前記予め定められた信号強度のレベルを下回る信号強度を示す状態情報に対応する前記パターンは、少なくとも１つの第１バックライトを有し、前記予め定められた信号強度のレベルを上回る信号強度を示す状態情報に対応する前記パターンは、少なくとも１つの第２バックライトを有している請求項１記載の方法。
【請求項３】
到来した通話の信号強度が、予め定められた信号強度のレベルを下回っているか上回っているかを判定し、判定された結果を示す状態情報を前記通信装置のマイクロプロセッサに対して生成するステップをさらに有しており、
前記予め定められた信号強度のレベルを下回る信号強度を示す状態情報に対応する前記パターンは、少なくとも１つの第１バックライトを有し、前記予め定められた信号強度のレベルを上回る信号強度を示す状態情報に対応する前記パターンは、少なくとも前記１つの第１バックライトと１つの第２バックライトを有している請求項１記載の方法。
【請求項４】
前記通信装置がローミングモードにあるか否かを判定し、判定された結果を示す情報を生成するステップをさらに有しており、前記通信装置がローミングモードにあることを示す状態情報に対応する前記パターンは、少なくとも１つの第１バックライトを有している請求項１記載の方法。
【請求項５】
前記通信装置がローミングモードにあるか否かを判定し、判定された結果を示す情報を生成するステップをさらに有しており、前記通信装置がローミングモードにあることを示す状態情報に対応する前記パターンは、複数のバックライトを点灯させる循環的なシーケンスを有している請求項１記載の方法。
【請求項６】
前記通信装置に電力を供給するために前記通信装置に電気的に接続されている電池の充電量が、予め定められた電池の充電のレベルを下回っているか上回っているかを判定し、判定された結果を示す状態情報を前記通信装置のマイクロプロセッサに対して生成するステップをさらに有し、
前記予め定められた電池の充電のレベルを下回る電池の充電量を示す状態情報に対応する前記パターンは、少なくとも１つの第１バックライトを有し、前記予め定められた電池の充電のレベルを上回る電池の充電量を示す状態情報に対応する前記パターンは、少なくとも１つの第２バックライトを有している請求項１記載の方法。
【請求項７】
前記通信装置に電力を供給するために前記通信装置に電気的に接続されている電池の充電量が、予め定められた電池の充電のレベルを下回っているか上回っているかを判定し、判定された結果を示す状態情報を前記通信装置のマイクロプロセッサに対して生成するステップをさらに有し、
前記予め定められた電池の充電のレベルを下回る電池の充電量を示す状態情報に対応する前記パターンは、少なくとも１つの第１バックライトを有し、前記予め定められた電池の充電のレベルを上回る電池の充電量を示す状態情報に対応した前記パターンは、少なくとも前記１つの第１バックライトと１つの第２バックライトを有している請求項１記載の方法。
【請求項８】
発呼者識別電話番号を有する到来した通話の受信に応答し、前記発呼者識別電話番号が、スピードダイアルキーと関連する選択された電話番号に対応しているか否かを判定するステップと、
前記発呼者識別電話番号が前記選択された電話番号に対応している旨の判定に応答し、前記発呼者識別電話番号が前記選択された電話番号に対応している旨を示す状態情報を前記通信装置のマイクロプロセッサに対して生成するステップとをさらに有し、
前記状態情報に対応する前記パターンは、スピードダイアルキーと関連するバックライトを有している請求項１記載の方法。
【請求項９】
発呼者識別電話番号を有する到来した通話の受信に応答し、前記発呼者識別電話番号が、前記通信装置のデータ記憶部内に保存されている電話番号には対応しているが、前記データ記憶部内に保存されているスピードダイアル電話番号には対応していないか否かを判定するステップと、
前記発呼者識別電話番号が、前記データ記憶部内に保存されている電話番号には対応しているが、前記データ記憶部内に保存されているスピードダイアル電話番号には対応していない旨の判定に応答し、前記発呼者識別電話番号が、前記データ記憶部内に保存されている電話番号には対応しているが、前記データ記憶部内に保存されているスピードダイアル電話番号には対応していないことを示す状態情報を前記通信装置のマイクロプロセッサに対して生成するステップとをさらに有し、
前記状態情報に対応する前記パターンは、少なくとも１つのバックライトを有している請求項１記載の方法。
【請求項１０】
発呼者識別電話番号を有する到来した通話の受信に応答し、前記発呼者識別電話番号が、前記通信装置のデータ記憶部内に保存されている電話番号には対応しているが、前記データ記憶部内に保存されているスピードダイアル電話番号には対応していないか否かを判定するステップと、
前記発呼者識別電話番号が、前記データ記憶部内に保存されている電話番号には対応しているが、前記データ記憶部内に保存されているスピードダイアル電話番号には対応していない旨の判定に応答し、前記発呼者識別電話番号が、前記データ記憶部内に保存されている電話番号には対応しているが、前記データ記憶部内に保存されているスピードダイアル電話番号には対応していないことを示す状態情報を前記通信装置のマイクロプロセッサに対して生成するステップとをさらに有し、
前記状態情報に対応する前記パターンは、前記発呼者識別電話番号の各々の桁に対応するバックライトの順次的な点灯を有している請求項１記載の方法。
【請求項１１】
発呼者識別電話番号を有する到来した通話の受信に応答し、前記発呼者識別電話番号が、前記通信装置のデータ記憶部内に保存されている電話番号には対応しているが、前記データ記憶部内に保存されているスピードダイアル電話番号には対応していないか否かを判定するステップであって、前記データ記憶部内に保存されている前記電話番号は、１つまたは複数のスピードダイアル電話番号、１つまたは複数の以前に電話をかけた相手先の電話番号、１つまたは複数の以前に通話した電話番号、および以前に到来した通話の１つまたは複数の発呼者識別電話番号の中の１つであるステップと、
前記発呼者識別電話番号が、前記データ記憶部内に保存されている電話番号には対応しているが、前記データ記憶部内に保存されているスピードダイアル電話番号には対応していない旨の判定に応答し、前記発呼者識別電話番号が、前記データ記憶部内に保存されている電話番号には対応しているが、前記データ記憶部内に保存されているスピードダイアル電話番号には対応していないことを示す状態情報を前記通信装置のマイクロプロセッサに対して生成するステップとをさらに有し、
前記状態情報に対応する前記パターンは、少なくとも１つのバックライトを有している請求項１記載の方法。
【請求項１２】
発呼者識別電話番号を有する到来した通話の受信に応答し、前記発呼者識別電話番号が、前記通信装置のデータ記憶部内に保存されているいずれの電話番号にも対応していないか否かを判定するステップと、
前記発呼者識別電話番号が、前記データ記憶部内に保存されているいずれの電話番号にも対応していない旨の判定に応答し、前記発呼者識別電話番号が、前記データ記憶部内に保存されているいずれの電話番号にも対応していないことを示す状態情報を前記通信装置のマイクロプロセッサに対して生成するステップとをさらに有し、
前記状態情報に対応する前記パターンは、少なくとも１つのバックライトを有している請求項１記載の方法。
【請求項１３】
発呼者識別電話番号を有する到来した通話の受信に応答し、前記発呼者識別電話番号が、前記通信装置のデータ記憶部内に保存されているいずれの電話番号にも対応していないか否かを判定するステップと、
前記発呼者識別電話番号が、前記データ記憶部内に保存されているいずれの電話番号にも対応していない旨の判定に応答し、前記発呼者識別電話番号が、前記データ記憶部内に保存されているいずれの電話番号にも対応していないことを示す状態情報を前記通信装置のマイクロプロセッサに対して生成するステップとをさらに有し、
前記状態情報に対応する前記パターンは、前記発呼者識別電話番号の各々の桁に対応するバックライトの順次的な点灯を有している請求項１記載の方法。
【請求項１４】
到来した通話の受信に応答し、前記到来した通話が発呼者識別電話番号を含んでいないか否かを判定するステップと、
前記到来した通話が発呼者識別電話番号を含んでいない旨の判定に応答し、前記到来した通話が発呼者識別電話番号を含んでいないことを示す状態情報を前記通信装置のマイクロプロセッサに対して生成するステップとをさらに有し、
前記状態情報に対応する前記パターンは、少なくとも１つのバックライトを有している請求項１記載の方法。
【請求項１５】
到来した通話の受信に応答し、前記到来した通話が発呼者識別電話番号を含んでいないか否かを判定するステップと、
前記到来した通話が発呼者識別電話番号を含んでいない旨の判定に応答し、前記到来した通話が発呼者識別電話番号を含んでいないことを示す状態情報を前記通信装置のマイクロプロセッサに対して生成するステップとをさらに有し、
前記状態情報に対応する前記パターンは、クエスチョンマークに類似した形状を有している請求項１記載の方法。
【請求項１６】
前記通信装置がボイスメールを具備しているか否かを判定するステップと、
前記通信装置に伝送される信号に基づき、前記通信装置がボイスメールを具備している旨の判定に応答し、前記通信装置がボイスメールを具備していることを示す状態情報を前記通信装置のマイクロプロセッサに対して生成するステップとをさらに有し、
前記状態情報に対応する前記パターンは、少なくとも１つのバックライトを有している請求項１記載の方法。
【請求項１７】
前記通信装置がボイスメールを具備しているか否かを判定するステップと、
前記通信装置に伝送される信号に基づき、前記通信装置がボイスメールを具備している旨の判定に応答し、前記通信装置がボイスメールを具備していることを示す状態情報を前記通信装置のマイクロプロセッサに対して生成するステップとをさらに有し、
前記状態情報に対応する前記パターンは、Ｖに類似した形状を有している請求項１記載の方法。
【請求項１８】
前記通信装置が消失通話または消失メッセージを具備しているか否かを判定するステップと、
前記通信装置が消失通話または消失メッセージを具備している旨の判定に応答し、前記通信装置が消失通話または消失メッセージを具備していることを示す状態情報を前記通信装置のマイクロプロセッサに対して生成するステップとをさらに有し、
前記状態情報に対応した前記パターンは、少なくとも１つのバックライトを有している請求項１記載の方法。
【請求項１９】
前記状態情報を視覚的なグラフィック・ディスプレイ上に表示するステップをさらに有する請求項１記載の方法。
【請求項２０】
ユーザーインタフェースを具備する通信装置であって、
前記通信装置内に動作可能に内蔵された複数のキーと、
前記複数のキーの中の個々のキーに対してそれぞれが関連付けられている複数のバックライトと、
１つまたは複数のバックライトを点灯させるために動作可能に接続されるマイクロプロセッサと、
前記マイクロプロセッサによって実行可能なプログラムコードを保存するために前記マイクロプロセッサに動作可能に接続されるデータ記憶部と、
前記通信装置のユーザーに対して伝達すべき状態情報に対応するパターンに従って、１つまたは複数のバックライトを点灯させるために前記マイクロプロセッサによって実行可能なプログラムコードとを有することを特徴とする通信装置。
【請求項２１】
前記通信装置に伝送される到来した通話を受信するために前記マイクロプロセッサに電気的に接続されるアンテナと、
前記到来した通話の信号強度が、予め定められた信号強度のレベルを下回っているか上回っているかを判定し、判定された結果を示す状態情報を前記マイクロプロセッサに対して生成するために、前記アンテナおよび前記マイクロプロセッサに接続されている信号強度センサとをさらに有し、
前記信号強度センサにおいて、前記予め定められた信号強度のレベルを下回る信号強度を表す状態情報に対応する前記パターンは、少なくとも１つの第１バックライトを有し、前記予め定められた信号強度のレベルを上回る信号強度を表す状態情報に対応する前記パターンは、少なくとも１つの第２バックライトを有している請求項２０記載の通信装置。
【請求項２２】
前記通信装置に伝送される到来した通話を受信するために前記マイクロプロセッサに電気的に接続されるアンテナと、
前記到来した通話の信号強度が、予め定められた信号強度のレベルを下回っているか上回っているかを判定し、判定された結果を示す状態情報を前記マイクロプロセッサに対して生成するために、前記アンテナおよび前記マイクロプロセッサに接続されている信号強度センサとをさらに有し、
前記信号強度センサにおいて、前記予め定められた信号強度のレベルを下回る信号強度を表す状態情報に対応する前記パターンは、少なくとも１つの第１バックライトを有し、前記予め定められた信号強度のレベルを上回る信号強度を表す状態情報に対応する前記パターンは、少なくとも前記１つの第１バックライトと１つの第２バックライトを有している請求項２０記載の通信装置。
【請求項２３】
前記通信装置に伝送される到来した通話を受信するために前記マイクロプロセッサに電気的に接続されるアンテナと、
前記通信装置がローミングモードに入るべきか否かを判定し、判定された結果を示す状態情報を前記マイクロプロセッサに対して生成するために、前記アンテナおよび前記マイクロプロセッサに接続されている信号強度センサとをさらに有し、
前記信号強度センサにおいて、前記通信装置がローミングモードに入るべきであることを示す状態情報に対応する前記パターンは、少なくとも１つの第１バックライトを有している請求項２０記載の通信装置。
【請求項２４】
前記通信装置に対して伝送される到来した通話を受信するために前記マイクロプロセッサに電気的に接続されるアンテナと、
前記通信装置がローミングモードに入るべきか否か判定し、判定された結果を示す状態情報を前記マイクロプロセッサに対して生成するために、前記アンテナおよび前記マイクロプロセッサに接続されている信号強度センサとをさらに有し、
前記信号強度センサにおいて、前記通信装置がローミングモードに入るべきであることを示す状態情報に対応する前記パターンは、複数のバックライトの循環的かつ順次的な点灯を有している請求項２０記載の通信装置。
【請求項２５】
前記通信装置に対して電力を供給するために前記通信装置に電気的に接続される電池と、
前記電池の充電量が、予め定められた電池の充電のレベルを下回っているか上回っているかを判定し、判定された結果を示す状態情報を前記マイクロプロセッサに対して生成するために、前記電池および前記マイクロプロセッサに接続されている電池充電センサとをさらに有し、
前記電池充電センサにおいて、前記予め定められた電池の充電のレベルを下回る電池の充電量を示す状態情報に対応する前記パターンは、少なくとも１つの第１バックライトを有し、前記予め定められた電池の充電のレベルを上回る電池の充電量を示す状態情報に対応する前記パターンは、少なくとも１つの第２バックライトを有している請求項２０記載の通信装置。
【請求項２６】
前記通信装置に対して電力を供給するために前記通信装置に電気的に接続される電池と、
前記電池の充電量が、予め定められた電池の充電のレベルを下回っているか上回っているかを判定し、判定された結果を示す状態情報を前記マイクロプロセッサに対して生成するために、前記電池および前記マイクロプロセッサに接続されている電池充電センサとをさらに有し、
前記電池充電センサにおいて、前記予め定められた電池の充電のレベルを下回る電池の充電量を示す状態情報に対応する前記パターンは、少なくとも１つの第１バックライトを有し、前記予め定められた電池の充電のレベルを上回る電池の充電量を示す状態情報に対応する前記パターンは、少なくとも前記１つの第１バックライトと１つの第２バックライトを有している請求項２０記載の通信装置。
【請求項２７】
前記複数のキーの少なくとも１つは、第１バックライト、および前記データ記憶部内に保存された選択された電話番号と関連付けられているスピードダイアルキーであり、
前記通信装置は、
発呼者識別電話番号を有する到来した通話の受信に応答し、前記発呼者識別電話番号が、前記選択された電話番号に対応しているか否かを判定するプログラムコードと、
前記発呼者識別電話番号が、前記選択された電話番号に対応している旨の判定に応答し、前記発呼者識別電話番号が、前記選択された電話番号に対応していることを示す状態情報を前記マイクロプロセッサに対して生成するプログラムコードとをさらに有し、
当該プログラムコードにおいて、前記状態情報に対応する前記パターンは、前記第１バックライトを有している請求項２０記載の通信装置。
【請求項２８】
前記データ記憶部は、１つまたは複数のスピードダイアル電話番号を含む電話番号を保存するように構成されており、
前記通信装置は、
発呼者識別電話番号を有する到来した通話の受信に応答し、前記発呼者識別電話番号が、前記データ記憶部内に保存されている電話番号には対応しているが、前記データ記憶部内に保存されているスピードダイアル電話番号には対応していないか否かを判定するプログラムコードと、
前記発呼者識別電話番号が、前記データ記憶部内に保存されている電話番号には対応しているが、前記データ記憶部内に保存されているスピードダイアル電話番号には対応していない旨の判定に応答し、前記発呼者識別電話番号が、前記データ記憶部内に保存されている電話番号には対応しているが、前記データ記憶部内に保存されているスピードダイアル電話番号には対応していないことを示す状態情報を前記マイクロプロセッサに対して生成するプログラムコードとをさらに有し、
当該プログラムコードにおいて、前記状態情報に対応する前記パターンは、少なくとも１つのバックライトを有している請求項２０記載の通信装置。
【請求項２９】
前記データ記憶部は、１つまたは複数のスピードダイアル電話番号を含む電話番号を保存するように構成されており、
前記通信装置は、
発呼者識別電話番号を有する到来した通話の受信に応答し、前記発呼者識別電話番号が、前記データ記憶部内に保存されている電話番号には対応しているが、前記データ記憶部内に保存されているスピードダイアル電話番号には対応していないか否かを判定するプログラムコードと、
前記発呼者識別電話番号が、前記データ記憶部内に保存されている電話番号には対応しているが、前記データ記憶部内に保存されているスピードダイアル電話番号には対応していない旨の判定に応答し、前記発呼者識別電話番号が、前記データ記憶部内に保存されている電話番号には対応しているが、前記データ記憶部内に保存されているスピードダイアル電話番号には対応していないことを示す状態情報を前記マイクロプロセッサに対して生成するプログラムコードとをさらに有し、
前記プログラムコードにおいて、前記状態情報に対応する前記パターンは、前記発呼者識別電話番号の各々の桁に対応するバックライトの順次的な点灯を有している請求項２０記載の通信装置。
【請求項３０】
前記データ記憶部は、１つまたは複数のスピードダイアル電話番号、１つまたは複数の以前に電話をかけた相手先の電話番号、１つまたは複数の以前に通話した電話番号、および以前に到来した通話の１つまたは複数の発呼者識別電話番号の中の少なくとも１つを含む電話番号を保存するように構成されており、
前記通信装置は、
発呼者識別電話番号を有する到来した通話の受信に応答し、前記発呼者識別電話番号が、前記データ記憶部内に保存されている電話番号には対応しているが、スピードダイアル電話番号には対応しないか否かを判定するプログラムコードと、
前記発呼者識別電話番号が、前記データ記憶部内に保存されている電話番号には対応しているが、スピードダイアル電話番号には対応していない旨の判定に応答し、前記発呼者識別電話番号が、前記データ記憶部内に保存されている電話番号には対応しているが、スピードダイアル電話番号には対応していないことを示す状態情報を前記マイクロプロセッサに対して生成するプログラムコードとをさらに有し、
当該プログラムコードにおいて、前記状態情報に対応する前記パターンは、少なくとも１つのバックライトを有している請求項２０記載の通信装置。
【請求項３１】
前記データ記憶部は、電話番号を保存するように構成されており、
前記通信装置は、
発呼者識別電話番号を有する到来した通話の受信に応答し、前記発呼者識別電話番号が、前記データ記憶部内に保存されているいずれの電話番号にも対応していないか否かを判定するプログラムコードと、
前記発呼者識別電話番号が、前記データ記憶部内に保存されているいずれの電話番号にも対応していない旨の判定に応答し、前記発呼者識別電話番号が前記データ記憶部内に保存されているいずれの電話番号にも対応していないことを示す状態情報を前記マイクロプロセッサに対して生成するプログラムコードとをさらに有し、
当該プログラムコードにおいて、前記状態情報に対応する前記パターンは、少なくとも１つのバックライトを有している請求項２０記載の通信装置。
【請求項３２】
前記データ記憶部は、電話番号を保存するように構成されており、
前記通信装置は、
発呼者識別電話番号を有する到来した通話の受信に応答し、前記発呼者識別電話番号が、前記データ記憶部内に保存されているいずれの電話番号にも対応していないか否かを判定するプログラムコードと、
前記発呼者識別電話番号が、前記データ記憶部内に保存されているいずれの電話番号にも対応していない旨の判定に応答し、前記発呼者識別電話番号が、前記データ記憶部内に保存されているいずれの電話番号にも対応していないことを示す状態情報を前記マイクロプロセッサに対して生成するプログラムコードとをさらに有し、
当該プログラムコードにおいて、前記状態情報に対応する前記パターンは、前記発呼者識別電話番号の各々の桁に対応するバックライトの順次的な点灯を有している請求項２０記載の通信装置。
【請求項３３】
到来した通話の受信に応答し、前記到来した通話が、発呼者識別電話番号を含んでいないか否かを判定するプログラムコードと、
前記到来した通話が発呼者識別電話番号を含んでいない旨の判定に応答し、前記到来した通話が発呼者識別電話番号を含んでいないことを示す状態情報を前記マイクロプロセッサに対して生成するプログラムコードとをさらに有し、
当該プログラムコードにおいて、前記状態情報に対応する前記パターンは、少なくとも１つのバックライトを有している請求項２０記載の通信装置。
【請求項３４】
到来した通話の受信に応答し、前記到来した通話が、発呼者識別電話番号を含んでいないか否かを判定するプログラムコードと、
前記到来した通話が発呼者識別電話番号を含んでいない旨の判定に応答し、前記到来した通話が発呼者識別電話番号を含んでいないことを示す状態情報を前記マイクロプロセッサに対して生成するプログラムコードとをさらに有し、
当該プログラムコードにおいて、前記状態情報に対応する前記パターンは、クエスチョンマークに類似した形状を有している請求項２０記載の通信装置。
【請求項３５】
前記通信装置に伝送される信号を受信するために前記マイクロプロセッサに電気的に接続されるアンテナと、
前記信号の受信に応答し、前記到来した通話がボイスメールを具備しているか否かを前記信号から判定するプログラムコードと、
前記到来した通話がボイスメールを具備している旨の前記信号からの判定に応答し、前記到来した通話がボイスメールを具備していることを示す状態情報を前記マイクロプロセッサに対して生成するプログラムコードとをさらに有し、
当該プログラムコードにおいて、前記状態情報に対応する前記パターンは、少なくとも１つのバックライトを有している請求項２０記載の通信装置。
【請求項３６】
前記通信装置に伝送される信号を受信するために前記マイクロプロセッサに電気的に接続されるアンテナと、
前記信号の受信に応答し、前記通信装置がボイスメールを具備しているか否かを前記信号から判定するプログラムコードと、
前記通信装置がボイスメールを具備している旨の前記信号からの判定に応答し、前記通信装置がボイスメールを具備していることを示す状態情報を前記マイクロプロセッサに対して生成するプログラムコードとをさらに有し、
当該プログラムコードにおいて、前記状態情報に対応する前記パターンは、Ｖに類似した形状を有している請求項２０記載の通信装置。
【請求項３７】
前記通信装置が消失通話または消失メッセージを具備しているか否かを判定するプログラムコードと、
前記通信装置が消失通話または消失メッセージを具備している旨の判定に応答し、前記通信装置が消失通話または消失メッセージを具備していることを示す状態情報を前記通信装置のマイクロプロセッサに対して生成するプログラムコードとをさらに有し、
当該プログラムコードにおいて、前記状態情報に対応する前記パターンは、少なくとも１つのバックライトを有している請求項２０記載の通信装置。
【請求項３８】
前記状態情報を表示する視覚的なグラフィック・ディスプレイをさらに有する請求項２０記載の通信装置。
【発明の詳細な説明】
【技術分野】
【０００１】
本発明は、概して、ユーザー出力インタフェースに関し、さらに詳しくは、キーパッドのバックライトを用いて通信装置の状態を表示する装置およびこれに関連する方法に関するものである。
【背景技術】
【０００２】
セル方式の携帯無線電話や携帯電話ハンドセット等の通信装置（本願明細書においては、これらの通信装置を「携帯電話機（Mobile Telephone）」と呼ぶ）にとっては、信号強度、電池の電力の残量、電話をかけた相手先の電話番号、および到来した通話（到来した通信）の電話番号等のような携帯電話機の動作に関する関連情報をユーザーに対して提供可能であることが重要である。従来、このような情報は、ＬＣＤ（液晶表示装置：Liquid Crystal Display）、ＬＥＤ（発光ダイオード：Light Emitting Diode）、およびＥＬ（エレクトロルミネセンス：Electro-Luminance ）等の視覚的なグラフィック・ディスプレイを介して提供されている。
【０００３】
しかしながら、このような視覚的なグラフィック・ディスプレイを使用することによって、いくつかの問題点が生じている。例えば、視覚的なグラフィック・ディスプレイは、高価であり、この結果として、多くの人々が携帯電話機を所有することが潜在的に不可能になる。また一方で、携帯電話機の容積に関する効率を可能な限り向上させるための継続的な努力が行われているが、視覚的なグラフィック・ディスプレイにより、携帯電話機の容積に関する効率が本質的に制限されることについては、容易に理解できるであろう。そして、この視覚的なグラフィック・ディスプレイが必要とする容積を補償するために、視覚的なグラフィック・ディスプレイおよび／またはキーパッドのサイズを縮小することは可能であるが、この結果として、この種のグラフィック・ディスプレイの読み取りや、この種のキーパッドの使用が困難なものになってしまう。さらに、視覚的なグラフィック・ディスプレイは、携帯電話機にとって貴重な資源である電池の電力をかなり消費する。さらにまた、視覚的なグラフィック・ディスプレイは破損しやすく、かつ、このグラフィック・ディスプレイが壊れてしまえば、視覚的なグラフィック・ディスプレイに基づいた携帯電話機は、実質的にその価値を失ってしまうことになる。
【０００４】
このような視覚的なグラフィック・ディスプレイに伴う欠点を克服するために、いくつかの携帯電話機には、専用のインジケータが設けられている。これらのインジケータは、視覚的なグラフィック・ディスプレイなしに、電池のレベルや信号強度等の単一項目の状態を表示する。しかしながら、このような専用のインジケータの各々が表示する項目の状態の数は、通常、２つのみに限定されている（例：電池レベルが、なんらかの予め定められたレベルを下回っているか、または上回っているか等）。さらに、このような専用のインジケータも容積を必要としており、この結果として、携帯電話機の小型化に対して、さらなる制限が課せられることになる。
【発明の開示】
【発明が解決しようとする課題】
【０００５】
それゆえに、従来の視覚的なグラフィック・ディスプレイと比べて、相対的に廉価であって、消費される電池の電力および容積が相対的に小さく、かつ、従来の視覚的なグラフィック・ディスプレイと比べて、破損しにくい（すなわち、信頼性が高い）方式で携帯電話機からユーザーに対して情報を伝達することが可能な装置および方法の開発が継続的に求められている。
【０００６】
本発明は上記問題点に鑑みてなされたものであり、従来の視覚的なグラフィック・ディスプレイが不要となり、コストが節減され、かつ、消費される電池の電力および容積が節約されると共に、従来の視覚的なグラフィック・ディスプレイよりも信頼性が向上するような通信装置および当該通信装置の状態を表示する方法を提供することを目的とするものである。
【課題を解決するための手段】
【０００７】
上記目的を達成するために、本発明は、複数のキーの中の個々のキーに関連付けられたバックライトを用いることによって、プログラミングされた通信装置の状態を表示するような携帯電話機等の通信装置を提供する。この通信装置においては、当該通信装置のユーザーに対して伝達すべき状態情報が生成され、この状態情報に対応するパターンに従って、１つまたは複数のバックライトが点灯させられる。
【０００８】
この対応する通信装置においては、複数のキーが通信装置内に動作可能に内蔵されており、この複数のキーの中の個々のキーに対して複数のバックライトのそれぞれが関連付けられている。そして、この１つまたは複数のバックライトを点灯させるために、マイクロプロセッサが動作可能に接続されている。さらに、通信装置のユーザーに対して伝達すべき状態情報に対応するパターンに従って１つまたは複数のバックライトを点灯させるマイクロプロセッサが実行可能なプログラムコードを保存するために、データ記憶部がマイクロプロセッサに動作可能に接続されている。
【０００９】
したがって、本発明によれば、視覚的なグラフィック・ディスプレイが不要となり、この結果として、コストが節減され、かつ、容積および電池の充電が節約されると共に、通信装置の信頼性も向上することが理解できるであろう。
【発明を実施するための最良の形態】
【００１０】
ついで、本発明およびその利点についてさらに十分に理解できるようにするために、添付図面を参照しながら、本発明の実施形態に関する詳細な説明を行うこととする。
【００１１】
以下の説明においては、本発明に関して十分に理解できるように、多数の特定の詳細項目について記述されている。しかしながら、このような特定の詳細項目なしに、本発明が実施可能であることは、当業者には明らかであろう。さらに、その他の例においては、不必要に詳述することによって本発明がわかりにくくなることを回避するために、周知の構成要素については、概略的な図またはブロック図の形態で示されている。さらにまた、通信装置（例えば、携帯電話機）、およびキーパッドのバックライト等の詳細項目に関しては、本発明を十分に理解する上で上記の詳細項目が不要であり、かつ、これらの詳細項目は、当業者には周知であると考えられるため、その大部分を省略している。
【００１２】
なお、特記していない限り、本願明細書に記述されている全ての機能は、これらの機能を実行するべくコーディングされたプログラムコード、ソフトウェア、および／または集積回路等のコードに従って、マイクロプロセッサ、マイクロコントローラ、ＡＳＩＣ（特殊用途向け集積回路：Application-Specific Integrated Circuit ）、電子データプロセッサ、またはコンピュータ等のプロセッサにより実行されることに留意されたい。さらに、上記の全てのコードの設計、開発、および実施の詳細については、本発明に関する以下の説明を参照することにより、当業者には明らかになるものと考えられる。
【００１３】
図１は、本発明の機能を実現する代表的な通信装置を部分的に破断して示す図である。なお、これ以降、前述した構成要素と同様のものについては、同一の参照番号を付して表すこととする。まず、添付図面中の図１を参照すれば、参照番号１００は、本発明の特徴である機能を実現する通信装置を全体的に示している。この通信装置１００は、携帯電話機、コミュニケータ、マルチメディア電話機、ＰＤＡ（個人向け携帯型情報通信機器：Personal Digital Assistant）、およびこれらの組み合わせ、またはこれらに類似するものを構成することが可能である。さらに、この通信装置１００は、プロセッサ等の従来の機能部（この機能部は、本願明細書においてマイクロプロセッサと呼ばれる）１０２と、このマイクロプロセッサ１０２に動作可能に接続されるデータ記憶部１０４とを有している。そして、データ記憶部１０４は、マイクロプロセッサ１０２を動作させるためのロジックを提供するプログラムコード１０６を含む。そして、この通信装置１００に対して伝送される高周波通信を受信するべく、アンテナ１０８がマイクロプロセッサ１０２に接続されており、このようにして受信された高周波通信が、上記アンテナ１０８からマイクロプロセッサ１０２に伝達される。そして、このような高周波通信の信号強度を表す信号をマイクロプロセッサ１０２に対して生成するべく、アンテナ１０８上において受信された高周波通信の信号強度を計測するために、信号強度センサ（メータ）１１０がアンテナ１０８に接続されている。
【００１４】
さらに、通信装置１００を動作させるための電力を供給するべく、電池１１２が（従来の方式で）通信装置１００内に接続されている（この接続については、図示されてはいない）。電池１１２の充電量を計測し、電池の充電のレベルを示す信号をマイクロプロセッサ１０２に対して生成するために、電池充電センサ（メータ）１１４が電池１１２に接続されている。さらに、この通信装置１００はまた、マイクロプロセッサ１０２に接続されるユーザーインタフェース機能（例えば、１、２、３、４、５、６、７、８、９および０の数字キー、＊キー、および＃キー、マイクロフォン１１６、スピーカ１１８、通話キー１２２、終了キー１２４およびスクロールキー１２６等の特殊用途キー１２０）を含む。なお、この通信装置１００には、好ましくは、視覚的なグラフィック・ディスプレイが設けられていないが、図２３との関連で後程詳述するように、このようなグラフィック・ディスプレイを設けることも可能である。さらに、前述のような通信装置１００の機能については、当業者にとって周知であると考えられるため、本発明の説明のために必要であると判断される場合を除いて、本願明細書においては、通信装置１００の機能に関するより詳細な説明を省略するものとする。
【００１５】
本発明によれば、好ましくは、１、２、３、４、５、６、７、８、９および０の数字キー、＊キー、＃キー、通話キー１２２、終了キー１２４、およびスクロールキー１２８、１２８のそれぞれが設けられており、これらのそれぞれのキーは、個々のキーを点灯させるべく、対応する個々のバックライト（これらのバックライトは、好ましくは、ＬＥＤであるが、図示されてはいない）と電気的に関連付けられている。好ましくは、スレーブ形式のマイクロコントローラ１３０が、後程詳述する方式で、さらなるプログラムコード１０６に従い、マイクロプロセッサ１０２によって生成される信号に応じて、それぞれのバックライトを個別に点灯させるべく、マイクロプロセッサ１０２とそれぞれのバックライトとの間に動作可能に接続されている。あるいは、その代わりに、マイクロプロセッサ１０２が、それ自身により（または、ディスプレイドライバ集積回路（図示されてはいない）との関連で）、バックライトの点灯を制御することにより、マイクロコントローラ１３０を不要とすることも可能である。さらに他の代替的な実施例においては、１、２、３、４、５、６、７、８、９および０の数字キー、＊キー、および＃キーに関連するバックライトのみを個別に点灯させることが可能である。なお、本願明細書においては、マイクロプロセッサ１０２によるバックライトの点灯制御と関連させて本発明について説明しているが、マイクロコントローラ１３０またはディスプレイドライバ集積回路を使用することにより、上記の制御を実現することも可能であることを理解されたい。
【００１６】
さらに、本発明によれば、プログラムコード１０６は、通信装置のユーザーに対して通信装置１００から伝達すべき状態情報に対応するパターンに従って、１つまたは複数のバックライトを点灯させるロジックを含んでいる。そして、このような状態情報には、信号強度、電池の充電、および到来した通話の電話番号等の状態に関係する従来の情報が含まれている。
【００１７】
より具体的には、本発明の好適な実施例の動作においては、＊キー、７キー、４キー、および１キーに対応する０個〜最大４個のバックライトを点灯させることにより、信号強度の５つのレベルのいずれか１つが表示される。信号が検出されないか、または、無視可能な信号が検出された場合には、バックライトを点灯させない。最大限の信号強度の１／４を下回る弱い信号強度は、図２に示されているように、＊キーのみに関連するバックライトを点灯させることによって表示される。最大限の信号強度の１／４〜１／２は、図３に示されているように、＊キーおよび７キーに関連するバックライトを点灯させることによって表示される。フル信号強度の１／２〜３／４は、図４に示されているように、＊キー、７キー、および４キーに関連するバックライトを点灯させることによって表示される。そして、最大限の信号強度の３／４を上回る任意の信号強度は、図５に示されているように、＊キー、７キー、４キー、および１キーに関連するバックライトを点灯させることによって表示される。なお、信号強度を表示するべく複数のキーを点灯させる場合には、＊キーから開始して、（図２〜図５に示されているように）上記複数のキーを上方に向かって順次点灯させた後に、再度バックライトを順次点灯させる前に、１０秒等の予め定められた時間にわたって上記複数のキーをオン状態に維持することが好ましい。
【００１８】
同様に、＃キー、９キー、６キー、および３キーに対応する０個〜最大４個のバックライトを点灯させることにより、電池１１２の電池充電に関する５つのレベルの中のいずれか１つが表示される。電池の充電量が存在しないか、または無視可能な電池の充電量が検出された場合には、バックライトを点灯させない。弱い電池の充電量（すなわち、最大限の電池の充電量の１／４を下回るもの）は、図６に示されているように、＃キーのみに関連するバックライトを点灯させることによって表示される。最大限の電池の充電量の１／４〜１／２は、図７に示されているように、＃キーおよび９キーに関連するバックライトを点灯させることによって表示される。最大限の電池の充電量の１／２〜３／４は、図８に示されているように、＃キー、９キー、および６キーに関連するバックライトを点灯させることによって表示される。そして、最大限の電池の充電量の３／４を上回る任意の電池の充電量は、図９に示されているように、＃キー、９キー、６キー、および３キーに関連するバックライトを点灯させることによって表示される。
【００１９】
なお、電池の充電量を表示するべく複数のキーを点灯させる場合には、＃キーから開始して、（図６〜図９に示されているように）上記複数のキーを上方に向かって順次点灯させた後に、再度バックライトを順次点灯させる前に、１０秒等の予め定められた時間にわたって上記複数のキーをオン状態に維持することが好ましい。さらに、通信装置１００の動作用に３分を下回る電池の充電量しか残っていない場合には、好ましくは、３〜４秒等の時間にわたって＃キーを間欠的にフラッシュオンの状態にさせた後に、好ましくは、全てのバックライトを点灯させて、ユーザーがインタフェース全体を見ることができるようにする。さらにまた、＃キーに対して、その他のバックライトとは異なる色のバックライトを設けることにより、電池の充電量が相対的に低いこと、あるいは、通信装置１００の動作用に３分を下回る電池の充電量しか残っていないことをユーザーに対してさらに警告することも可能である。
【００２０】
なお、上記の信号強度および電池の充電量に関するバックライトを同時に点灯させることによって、信号強度と電池の充電量の両方の状態を表示することが可能であることを理解されたい。例えば、図１０は、＊キー、７キー、＃キー、９キー、および６キーに関連するバックライトを点灯させることにより、１／２の信号強度と３／４の電池の充電量を示している。
【００２１】
図１１は、ステップ１１０２に示されているように、到来した通信を処理するプログラムコード１０６によって実現される制御ロジックを示すフローチャートである。まず、ステップ１１０４において、上記の到来した通信が、通信装置１００による受信を必要とするボイルメールがキュー内に存在することを示すメッセージであるか否かを判定する。そして、上記の到来した通信が、キュー内にボイスメールが存在することを示すメッセージであると判定された場合には、プロセスは、ステップ１１０６に進み、ここで、好ましくは、ボイスメールを意味するパターンに従って、１つまたは複数のバックライトを点灯させる。なお、このような好適なパターンの１つは、図１２に示されているように、１キー、４キー、７キー、０キー、９キー、６キー、および３キーを点灯させることにより、ボイスメールを意味する「Ｖ」に類似したパターンを形成することであろう。
【００２２】
また一方で、ステップ１１０４において、上記の到来した通信が、ボイスメールがキュー内に存在することを表示していないと判定された場合には、プロセスは、ステップ１１０８に進み、ここで、上記の到来した通信が、発呼者識別電話番号（通常、「発呼者ＩＤ」と略記される）を含んでいるか否かを判定する。そして、到来した通信が発呼者ＩＤを含んでいないと判定された場合には、プロセスは、ステップ１１１０に進み、ここで、好ましくは、未知の番号を意味するパターンに従って、１つまたは複数のバックライトを４秒等の予め定められた時間にわたって点灯させる。例えば、このようなパターンの１つは、図１３に示されているように、１キー、２キー、３キー、６キー、９キー、８キー、および０キーを点灯させることにより、未知の番号を意味する「？」（すなわち、クエスチョンマーク）に類似したパターンを形成することであろう。
【００２３】
また一方で、ステップ１１０８において、上記の到来した通信が発呼者ＩＤを含んでいると判定された場合には、プロセスは、ステップ１１１２に進み、ここで、その発呼者ＩＤが、スピードダイアルキー（すなわち、キーが押下された際に予め設定された電話番号を自動的にダイアルするべくユーザーによってプログラミングされているキー）としてデータ記憶部１０４内に保存されている電話番号と一致するか否かを判定する。そして、その発呼者ＩＤが、スピードダイアルキーとしてデータ記憶部１０４内に保存されている電話番号と一致すると判定された場合には、プロセスは、ステップ１１１４に進み、ここで、そのスピードダイアルキーによって表されている番号から通話が到来したことを示すべく、４秒等の予め定められた時間にわたって、その個別のスピードダイアルキーを点灯させる。例えば、その発呼者ＩＤが、スピードダイアルキー４が表している電話番号と一致した場合には、図１４に示されているように、４キーのバックライトを点灯させ、好ましくは、間欠的にフラッシュオンの状態にする。あるいは、別の例において、発呼者ＩＤが、スピードダイアルキー８が表している電話番号と一致した場合には、図１５に示されているように、８キーのバックライトを点灯させることになるであろう。
【００２４】
また一方で、ステップ１１１２において、発呼者ＩＤが、スピードダイアルキーとしてデータ記憶部１０４内に保存されている電話番号と一致しないと判定された場合には、プロセスは、ステップ１１１６に進み、ここで、上記の発呼者ＩＤが、以前に電話をかけた相手先の電話番号、以前に通話した電話番号、受信された以前の通話の発呼者ＩＤ、および／またはこれらに類似するもの等のデータ記憶部内に保存されている別の番号と一致するか否かを判定する。そして、上記の発呼者ＩＤが、データ記憶部内に保存されている別の番号と一致すると判定された場合には、プロセスは、ステップ１１１８に進む。ここで、好ましくは、１秒未満の時間にわたって（例えば、１／２秒）、図１６に示されているように、全てのバックライトをフラッシュオン（または、その代わりに、フラッシュオフ）の状態にした後に、好ましくは、図１７に、（２１４）５３６−９８７０という発呼者ＩＤの電話番号について例示されているように、この発呼者ＩＤの電話番号の各々の桁を表す各々のキーのバックライトを順番に点灯させることにより、ユーザーに対して、上記のような到来した通話の発呼者ＩＤの電話番号を伝達する。さらに、図１７に示されているように、好ましくは、＊キーおよび＃キーの点灯を継続するか、あるいは、＊キーまたは＃キーのいずれか１つのみの点灯を継続させることにより、上記の発呼者ＩＤの電話番号が、データ記憶部内に保存されているものであることを示すことも可能である。ついで、プロセスは、ステップ１１１８に戻り、ユーザーが上記の到来した通話をピックアップするまで、または、ステップ１１１８およびステップ１１２０により規定されるループが５回等の所定の回数だけ実行されるまで、または、発呼者がその通話を終了させるまで、ステップ１１１８およびステップ１１２０を反復することになる。
【００２５】
また一方で、ステップ１１１６において、上記の発呼者ＩＤが、データ記憶部内に保存されている別の番号と一致しないと判定された場合には、プロセスは、ステップ１１２２に進み、ここで、好ましくは、図１６に示されているように、一秒未満の時間にわたって（例えば、１／２秒）、全てのバックライトをフラッシュオン（または、その代わりに、フラッシュオフ）の状態にした後に、好ましくは、図１８に、（２１４）５３６−９８７０という発呼者ＩＤの電話番号について例示されているように、この発呼者ＩＤの電話番号の各々の桁を表す各々のキーのバックライトを順番に点灯させることにより、ユーザーに対して、上記のような到来した通話の発呼者ＩＤの電話番号を伝達する。なお、この場合には、発呼者ＩＤの電話番号を表示している際に、図１７に示されているようには＊キーや＃キーを点灯させないことにより、この発呼者ＩＤの電話番号が、データ記憶部内に保存されているものではないことを示すことに留意されたい。ついで、このプロセスは、ステップ１１２２に戻り、ユーザーが上記の到来した通話をピックアップするまで、または、ステップ１１２２およびステップ１１２４により規定されるループが５回等の所定の回数だけ実行されるまで、または、発呼者がその通話を終了するまで、ステップ１１２２およびステップ１１２４を反復することになる。
【００２６】
通話が消失した場合には、通信装置１００のバックライトは、好ましくは、図１９および図２０により示されているパターン等の２つの相補的なパターン間において間欠的にフラッシュオンの状態にすることになるであろう。あるいは、その代わりに、いくつかの異なるバックライトパターンを間欠的にフラッシュオンの状態にすることにより、または、バックライトの（順次的な表示ではなく）静止表示を点灯させることにより、通話の消失を表示することも可能であることを理解されたい。
【００２７】
図２１は、バックライトを点灯させることにより、通信装置１００がローミングモード（Roaming Mode）にあることを表示することができるシーケンスを示している。なお、バックライトを点灯させることによってローミングモードを表示することが可能なシーケンスには、様々な多数のものが存在しており、図２２は、このような代替的な実施例の１つを示しているにすぎないことを理解されたい。さらなる代替的な実施例においては、バックライトの（順次的な表示ではなく）静止表示を点灯させることにより、ローミングモードを表示することが可能である。
【００２８】
図２３は、本発明の代替的な実施例を示している。この場合には、通信装置１００に類似した通信装置２３００に対して、前述のような状態情報のいくつかまたは全部を視覚的に表示可能な従来の視覚的なグラフィック・ディスプレイ２３０２がさらに設けられている。なお、このディスプレイ２３０２等の視覚的なグラフィック・ディスプレイについては、周知であり、したがって、本願明細書においては、さらなる詳細な説明を省略することとする。
【００２９】
本発明においては、多くの実施形態および実施例が可能であることを理解されたい。すなわち、本発明の精神または範囲を逸脱することなく、前述の内容に対して、いくつかの変形を加えることが可能である。例えば、任意の数の異なるバックライトパターンを利用することにより、様々な状態情報を伝達することが可能である。図１４〜図１８に示されているような発呼者ＩＤのイベント（Event ）においては、通話キー１２２および終了キー１２４を点灯させることにより、ユーザーがその通話に応答（または、その通話を拒否）することを支援することができる。さらに、なんらかの状態が変化した場合に、固有のパターン（例えば、全てのバックライトを間欠的にフラッシュオンの状態にする）を利用することにより、通信装置１００に対して、ユーザーの注意を引き付けることも可能である。さらに、様々なバックライトパターンとの組み合わせで、オーディオ（例えば、音響または人工音声）方式および振動表示方式を使用することにより、状態を表示し、または、重要な状態または状態における変化について、ユーザーの注意を喚起し、または、ユーザーに対して警告することも可能である。
【００３０】
以上のように、種々の好適な実施例の中で特定の実施例を参照することにより、本発明について説明したが、ここで開示されている実施例は、その特性として、限定を意図するものではなく、あくまで例示を目的とするものであることに留意されたい。したがって、前述の開示内容における様々な変形、変更、変化および置換が考えられると共に、いくつかの実施例においては、本発明のその他の特徴と対応付けて使用することなしに、本発明のいくつかの特徴を採用することが可能であることに留意されたい。当業者であれば、好適な実施例に関する前述の説明を参照することにより、このような多くの変形および変更が明らかになり、それらを好ましいものと見なすことになるであろう。したがって、本願明細書に添付の特許請求の範囲の請求項は、広範に、かつ、本発明の範囲に合致するように、解釈することを要するものである。
【図面の簡単な説明】
【００３１】
【図１】本発明の機能を実現する代表的な通信装置を部分的に破断して示す図である。
【図２】様々な状況での状態を表示する図１の通信装置を示す図である。
【図３】様々な状況での状態を表示する図１の通信装置を示す図である。
【図４】様々な状況での状態を表示する図１の通信装置を示す図である。
【図５】様々な状況での状態を表示する図１の通信装置を示す図である。
【図６】様々な状況での状態を表示する図１の通信装置を示す図である。
【図７】様々な状況での状態を表示する図１の通信装置を示す図である。
【図８】様々な状況での状態を表示する図１の通信装置を示す図である。
【図９】様々な状況での状態を表示する図１の通信装置を示す図である。
【図１０】様々な状況での状態を表示する図１の通信装置を示す図である。
【図１１】状態を表示する本発明の機能を実現するための制御ロジックを示すフローチャートである。
【図１２】様々な状況での状態を表示する図１の通信装置を示す図である。
【図１３】様々な状況での状態を表示する図１の通信装置を示す図である。
【図１４】様々な状況での状態を表示する図１の通信装置を示す図である。
【図１５】様々な状況での状態を表示する図１の通信装置を示す図である。
【図１６】様々な状況での状態を表示する図１の通信装置を示す図である。
【図１７】様々な状況での状態を表示する図１の通信装置を示す図である。
【図１８】様々な状況での状態を表示する図１の通信装置を示す図である。
【図１９】様々な状況での状態を表示する図１の通信装置を示す図である。
【図２０】様々な状況での状態を表示する図１の通信装置を示す図である。
【図２１】様々な状況での状態を表示する図１の通信装置を示す図である。
【図２２】様々な状況での状態を表示する図１の通信装置を示す図である。
【図２３】本発明の機能を実現する図１の通信装置の代替的な実施例を示す図である。
【図１】
2006520125.tif 000003
【図２】
2006520125.tif 000004
【図３】
2006520125.tif 000005
【図４】
2006520125.tif 000006
【図５】
2006520125.tif 000007
【図６】
2006520125.tif 000008
【図７】
2006520125.tif 000009
【図８】
2006520125.tif 000010
【図９】
2006520125.tif 000011
【図１０】
2006520125.tif 000012
【図１１】
2006520125.tif 000013
【図１２】
2006520125.tif 000014
【図１３】
2006520125.tif 000015
【図１４】
2006520125.tif 000016
【図１５】
2006520125.tif 000017
【図１６】
2006520125.tif 000018
【図１７】
2006520125.tif 000019
【図１８】
2006520125.tif 000020
【図１９】
2006520125.tif 000021
【図２０】
2006520125.tif 000022
【図２１】
2006520125.tif 000023
【図２２】
2006520125.tif 000024
【図２３】
2006520125.tif 000025
【国際調査報告】
2006520125.tif 000026